(57)【要約】【課題】食品を始めとする日常品は、殆どが包装またはパッケージ化されている。これらの日常品の形状や開封の方法は様々であり、視覚障害者が安全で効率よく開封することは困難である。【解決手段】晴眼者は視覚により、開封面・開封位置・開封方法・開封方向等の情報を得ることで、開封を可能としている。それらの開封に必要な情報を、視覚障害者が触指にて得られるよう、日常品の一部の面に点線で囲んだ枠を設け、そのなかに暗号化した点字の数字及び数種の記号を凸状に印字もしくは貼付し、視覚障害者がその暗号化の意味を理解することで、晴眼者と同じような開封を可能とした。【選択図】図１
2011088667.tif 000002
【特許請求の範囲】
【請求項１】
包装袋やパッケージ等の開封の必要のある対象物の一部に、開封面・開封位置・開封方法・開封方向の情報を、視覚障害者が触指にて識別できるよう、点線の枠内に暗号化した点字の数字・符号・記号を凸状に印字あるいは貼付した視覚障害者用開封マーク。
【発明の詳細な説明】
【技術分野】
【０００１】  本発明は、視覚障害者が、食料品を始めとする日常品などの開封を必要とする対象物に対し、介護によらずに簡単に開封するための開封マークに関するものである。
多くの日常品は安全や衛生面などの理由から、殆どが包装あるいはパッケージ化されているが、それらは様々な形状を有しており、また開封の方法もまちまちである。これらの開封方法は晴眼者（健常者）を対象としているため、視覚障害者にはその開封が困難であり、この発明は視覚障害者用として、その開封を容易にするための開封マークに関するものである。
【背景技術】
【０００２】  開封の必要な表裏２面性の対象物の一部に、点字文字で開封位置を、また開封方向を矢印で示した包装袋及びブリスター容器がある。
【先行技術文献】
【０００３】
【特許文献１】特開２００４−３１５０１５号公報
【０００４】
【特許文献２】特開平１１−３０１７００号公報
【発明の概要】
【発明が解決しようとする課題】
【０００５】  視覚障害者が日常扱う開封の必要のある対象物は、多種多様な形状を有しており、表裏２面性のみの対象では範囲が限定される。また点字による文字の説明では、表示スペースの確保が必要となり、比較的小さな対象物には適用できない。更に開封の方法についても、切る・引っ張る・左右に裂くなど様々な形態があり、それらの表示も必要である。
以上の理由から、対象物が多面性であっても、また比較的小さな物であっても、開封方法が複数であっても、極力小さなスペースの中でそれらの情報を網羅し、視覚障害者の日常品の開封を容易とする方法でなければならない。本発明は、以上の問題点を解決するものである。
【課題を解決するための手段】
【０００６】  包装袋やパッケージ等の開封の必要のある対象物の一部に、開封面・開封位置・開封方法・開封方向の情報を、視覚障害者が触指にて識別できるよう、点線の枠内に暗号化した点字の数字・符号・記号を凸状に印字あるいは貼付した視覚障害者用開封マークの発明。
晴眼者は各種形状の包装品やパッケージに対し、開封面・開封位置・開封方法・開封方向を、視覚により判断し開封を容易にしている。このことからこれらの情報を点字の数字や符号及び記号に暗号化し、対象物正面の右上に凸状印字することで、様々な形状や各種の開封方法においても視覚障害者に対して正しく情報を伝えることが可能となり、視覚障害者が安全で効率の良い開封を可能となる。
点線枠内に、２組の点字による数字を印字し、この左側の数字が対象物の開封面を表すこととし、右側の数字は開封方法を表すこととした。数字は、開封する対象物は通常６面体までであること、また開封方法も６通りで充分であることから、それぞれ１から６までの点字数字とした。また以上の他に具体的な開封位置を三角印、またその開封方向を矢印で示した。
以上から、視覚障害者は対象物の正面の右上の点線枠を触指し、２つの数字及び三角印・矢印から総合判断し、瞬時に開封のための情報を得られることで開封を容易とした。
【発明の効果】
【０００７】  本発明により、従来の表裏２面性のみでなく、６面体・円柱・三角錐など多面性のほとんどの形状に拘わらず、視覚障害者の開封が可能となった。また開封マークの設置は、３センチメートル四方の面積で充分なので、同等以上のサイズの対象物であれば適用が可能である。以上のことから、本発明の開封マークは適用範囲の格段の向上を可能にし、人手に頼ることや無駄な労力を省き、また内容物の破損や落下の予防にもおおきな貢献が見込まれる。
このことは、生活の快適性の向上のみでなく、視覚障害者の労働範囲の拡大にも大きな効果が見込まれる。
【図面の簡単な説明】
【０００８】
【図１】本発明の開封マークを示す正面図
【図２】本発明の開封マークを使用した状態を示す斜視図
【図３】図１に示した点字数字
【図４】開封マークを基準とした６面体の開封面の位置
【図５】開封マークを基準とした三角錐の開封面の位置
【図６】開封マークを基準とした三角柱の開封面の位置
【図７】開封マークを基準とした円柱の開封面の位置
【図８】ストローを挿す印
【図９】開封面がチャック形式の印
【図１０】左右に裂く印
【図１１】右（場合により逆に向きを変えて左）に回すという印
【発明を実施するための形態】
【０００９】  以下、本発明の実施の形態を説明する。
（イ）図１に示したように、約３センチメートル四方の点線枠（８）を設け、その中に２つの点字の数字（９）（１０）及び矢印（１１）・三角印（１２）を印字する。
これらは、点線枠を含め全て触指が可能な凸状印字である。
その使用した状態を示す斜視図が図２である。
（ロ）点線枠の中の左に印字された数字（９）は開封面を表示しているが、開封マークの設置面を基準にしてどの位置を指しているかを、具体的な形状に合わせて図４・図５・図６・図７に示した。この面の位置を点字の数字（図３）で表示する。
（ハ）右側の点字の数字（１０）は、下記の１から６までの開封方法を示している。それぞれの該当する開封方法の数字を、図３に表した点字数字で表示する。
１、三角印のある位置で、矢印の方向に切り裂いて開封する。
２、三角印のある位置を中心に、左右に裂くことで開封する。
３、三角印のある辺の任意の位置を、矢印の方向に切り裂いて開封する。
４、三角印の位置から、矢印の方向に引っ張って開封する。
５、三角印の位置を指で押し破り、矢印の方向に引いて開封する。
６、三角印の面がチャック形式となっている開封物であることを示す。
本発明の図１を６面体の対象物に対して開封すると仮定すると、次のような手順で進めれば開封が簡単に可能となる。
１、先ず開封面であるが、左側の点字数字（９）を図３で見ると３を示しているので６面体の図４から開封面は開封マークの下部面であることが判る。
２、次に開封方法であるが、右側の点字数字（１０）を図３で見ると４を示しているので［０００９］の（ハ）４に該当し、矢印の方向に引っ張って開封すればよいことが判る。
３、更に、三角印は開封面の中央最下部に位置している。
４、最後に、矢印は下から上を向いている。
以上のことからこの情報を総合すると、開封面は開封マークの下部面にあり、下部面の底辺部分に開封位置があるので、そこから上に向かって引っ張れば開封が可能となる。
開封の必要な日常品には、図５の三角錐のものや図６の三角柱さらには図７の円柱等もあるので表示した。また三角印や矢印だけでは、各種の形状に適応できず適切な開封方法を表示できない場合もあり、視覚障害者の利益のために敢えて図８から図１１までを、この開封マークのために記号として設けた。図８はストローを挿す印であり、図９はチャック形式であることを指す。さらに図１０は左右に裂くことで開封する印とし、図１１は右（場合により逆に向きを変えて左）に回すという印とした。必要に応じて枠内に表示することにより、より効率的な開封が可能となる。
本発明の開封マークの作成は、対象物に点字数字および三角印や矢印を直接凸状に印字する方法と、同じく凸状に印字したものをＡ４サイズなどの用紙に分割し糊付けしたシール状のものを貼付する方法とがある。対象物の形状や諸事情からの選択も可能とした。
この開封マークを設置にあたり、対象物の流通や何らかの事情により、点字の凸状部分に圧力等において変形の危険を回避できない場合は、正面以外の面でも止むを得ない。
また２重包装・２重パッケージ等においては、外側の被覆物の表示位置を右上にし、内側の被覆物の表示は右下とする。また３重以上の被覆物の場合は、時計回りに追加設置することとする。
開封マークをさらに効果の高いものとするために、開封マークの上部あるいは下部に、対象の内容、例えばチョコとか○○用クスリなどを合わせて表示しておくと良い。
【符号の説明】
【００１０】  １  開封マークを表示してある面
２  開封マークの裏側の面
３  開封マークの下側の面
４  開封マークの左側の面
５  開封マークの右側の面
６  開封マークの上部の面
７  開封マーク
８  点線枠
９  開封マークの中の左側の点字数字
１０  開封マークの中の右側の点字数字
１１  矢印
１２  三角印
【図１】
2011088667.tif 000003
【図２】
2011088667.tif 000004
【図３】
2011088667.tif 000005
【図４】
2011088667.tif 000006
【図５】
2011088667.tif 000007
【図６】
2011088667.tif 000008
【図７】
2011088667.tif 000009
【図８】
2011088667.tif 000010
【図９】
2011088667.tif 000011
【図１０】
2011088667.tif 000012
【図１１】
2011088667.tif 000013